(57)【要約】【課題】  消磁コイル及び地磁気補正コイルを有する陰極線管表示装置において、消磁効果と地磁気補正効果を得るとともに、消費電力を低減した陰極線管表示装置を提供することを目的とする。【解決手段】  陰極線管に設けられた消磁コイル及び地磁気補正コイルに、それぞれ消磁回路と地磁気補正回路を接続し、ユーザ操作に応答して地磁気補正コイルに流れる直流電流の極性及びレベルに関する調整量を制御する。ユーザ操作によって決定された調整量のデータはメモリに記憶され、次に電源が投入された時には、制御部（マイコン）の制御の基に消磁コイルに消磁電流を供給するとともに、地磁気補正コイルにメモリに記憶した調整量データに基く地磁気補正電流を供給し、所定時間経過後に消磁コイル及び地磁気補正コイルに供給する電流を停止する。【選択図】  図２
2005191848.tif 000002
【特許請求の範囲】
【請求項１】
陰極線管を有する表示装置において、
前記陰極線管の外周部にそれぞれ設けられた消磁コイル及び地磁気補正コイルと、
前記消磁コイルに消磁電流を供給するための消磁回路と、
前記地磁気補正コイルに地磁気補正電流を供給するための地磁気補正回路と、
ユーザ操作に応答して前記地磁気補正コイルに流れる地磁気補正電流の極性及びレベルに関する調整量を制御する手段と、
前記ユーザ操作によって決定された前記調整量のデータを記憶可能なメモリと、
前記表示装置の電源投入時に、前記消磁コイルに消磁電流を供給するとともに前記地磁気補正コイルに前記メモリに記憶した調整量データに基く地磁気補正電流を供給し、所定時間経過後に前記消磁コイル及び地磁気補正コイルに供給する電流を停止する制御部とを具備したことを特徴とする陰極線管表示装置。
【請求項２】
前記制御部はマイクロコンピュータにて成り、前記ユーザ操作に応答して調整量を制御する手段はリモートコントローラにて成ることを特徴とする請求項１記載の陰極線管表示装置。
【請求項３】
地磁気補正回路は、前記地磁気補正コイルに流れる直流電流量を調整する調整回路と、前記地磁気補正コイルに流れる直流電流量の極性を切換える極性反転回路とから成ることを特徴とする請求項１記載の陰極線管表示装置。
【請求項４】
前記ユーザ操作によって調整量が調整されたとき、前記地磁気補正コイルには該調整量に応じた地磁気補正電流を流し、その後ＡＣ電源がオフされて再度オンされたとき、前記消磁コイルには消磁電流を流すとももに、前記地磁気補正コイルには前記メモリに記憶された調整量データに基く地磁気補正電流を流すようにした特徴とする請求項１記載の陰極線管表示装置。
【請求項５】
前記消磁コイルは、陰極線管のシャドウマスクに対応する外周部に取付けられ、前記地磁気補正コイルは陰極線管のインナーシールドに対応する外周部に取付けられたことを特徴とする請求項１記載の陰極線管表示装置。
【発明の詳細な説明】
【技術分野】
【０００１】
本発明は、陰極線管を用いた表示装置に係り、特に消磁コイル及び地磁気補正コイルを有し、シヤドウマスクに着磁した磁界の消磁、及び地磁気による画像の色むら等を補正することができる陰極線管表示装置に関するものである。
【背景技術】
【０００２】
陰極線管（以下ＣＲＴと称す）を使用した画像表示装置、例えばカラーテレビジョン受像機等の表示装置においては、外部磁界の影響によりＣＲＴ内のシャドーマスク等が着磁し、電子ビームの軌跡が変動し、色純度が劣化したりラスタ歪み等を発生することがある。このため、一般的にはＣＲＴの外周に消磁コイルを取付け、この消磁コイルに交番減衰電流を流すことで消磁を行っている。
【０００３】
また、このようなＣＲＴを使用した表示装置では、地磁気等の外来磁気の影響が大きくなり、設置場所や設置方向によって表示画像が回転したり色むらを生じることがある。このため、ＣＲＴのネック部側外周に地磁気補正コイルを取付け、地磁気等によって生じる外部の磁界の影響を除去するようにしている。
【０００４】
例えば、特許文献１に記載のＣＲＴディスプレイ装置では、ＣＲＴの外周に消磁コイルと回転補正コイルを取付け、表示画像が回転した場合に前記回転補正コイルに直流電流を流すことにより表示画面を水平垂直な状態に保つようにした例が記載されている。この場合、前記直流電流量は、ユーザの操作により決定され、ユーザ操作後は記憶装置に直流電流量に関する情報を記憶し、電源を切って再び電源を投入したときには、記憶装置に記憶されている情報に基いて所定の直流電流を回転補正コイルに続けて供給することにより、地磁気による影響を低減するようにしている。
【特許文献１】特開平９−２４７６９８号公報（第３頁〜第４頁、図１）
【発明の開示】
【発明が解決しようとする課題】
【０００５】
上記したような消磁コイル及び回転補正コイルを有して構成される陰極線管表示装置では、回転補正コイルに常時所定の直流電流を流す必要があるため、消費電力が増加するという欠点があった。
【０００６】
そこで、本発明は消磁効果と地磁気補正効果を得るとともに消費電力を低減した画像表示装置を提供することを目的とする。
【課題を解決するための手段】
【０００７】
本発明はこのような問題点を解決するためになされたもので、陰極線管を有する表示装置において、前記陰極線管の外周部にそれぞれ設けられた消磁コイル及び地磁気補正コイルと、前記消磁コイルに消磁電流を供給するための消磁回路と、前記地磁気補正コイルに地磁気補正電流を供給するための地磁気補正回路と、ユーザ操作に応答して前記地磁気補正コイルに流れる地磁気補正電流の極性及びレベルに関する調整量を制御する手段と、前記ユーザ操作によって決定された前記調整量のデータを記憶可能なメモリと、前記表示装置の電源投入時に、前記消磁コイルに消磁電流を供給するとともに前記地磁気補正コイルに前記メモリに記憶した調整量データに基く地磁気補正電流を供給し、所定時間経過後に前記消磁コイル及び地磁気補正コイルに供給する電流を停止する制御部とを具備したことを特徴とする。
【発明の効果】
【０００８】
本発明の陰極線管表示装置は地磁気補正コイルに流れる電流量や極性をメモリに記憶した調整量に基づいて決定するため、電源投入時に素早く地磁気補正を行うことができ、かつ地磁気補正電流が流れる基間を制限することにより、消費電力を低減することができる。
【発明を実施するための最良の形態】
【０００９】
以下、図面を参照しながら本発明に係る陰極線管表示装置について詳細に説明する。
【実施例１】
【００１０】
以下、本発明の実施例について説明する。図１は、本発明の陰極線管表示装置の全体的な構成を示すブロック図であり、図２は本発明の主要部の構成を示す回路図であり、図３は、本発明の地磁気補正（表示画面の回転補正）の状態を示す説明図、図４，図５は本発明における消磁電流及び地磁気補正電流波形を示す波形図である。
【００１１】
図１において、１はカラーテレビジョン受像機であり、このカラーテレビジョン受像機１は、アンテナ２からの信号を受信する受信部（チューナ）３を有し、この受信部３は信号処理回路４に接続されている。これら受信部３及び信号処理回路４は、マイクロコンピュータ５（以下マイコン５と称す）によって制御され、受信部３では、所望のチャンネルの信号を選択して信号処理回路４に供給し、この信号処理回路４では、マイコン５からの各種制御データに基づいて明るさやコントラスト等が調整された映像信号（ＲＧＢ信号）を出力し、カラー陰極線管６（以下ＣＲＴ６と称す）のカソードに供給するようにしている。
【００１２】
また、信号処理回路４からは水平、垂直同期信号が分離され、偏向回路７に供給される。偏向回路７では、垂直同期信号をもとに垂直偏向電流を生成し、かつ水平同期信号をもとに水平偏向電流を生成して偏向ヨーク８に出力する。偏向ヨーク８はＣＲＴ６の電子ビームを垂直偏向電流及び水平偏向電流に基づいて偏向する。
【００１３】
一方、ＣＲＴ６には、地磁気による画像の色むらを補正するために、偏向ヨーク８に近いＣＲＴ６のネック部外周に地磁気補正コイル９が取付けられている。さらに、ＣＲＴ６のシャドウマスク近辺の外周部には消磁コイル１０が取付けられている。これら地磁気補正コイル９及び消磁コイル１０には、補正回路１１からの地磁気補正電流及び消磁電流が供給される。尚、補正回路１１の詳細は図２にて説明する。
【００１４】
また、前記マイコン５は、ＲＯＭ、ＲＡＭ等を含み、不揮発性メモリ１２が接続されている。このマイコン５は、操作手段としてのリモートコントローラ１３（以下リモコン１３と称す）からの各種指令信号を受けてテレビジョン受像機１の制御を行う。
【００１５】
前記リモコン１３は、電源オンオフキーやテンキーの他にメニューキー１３１、決定キー１３２を有し、さらに調整用のキー１３３等を有している。前記メニューキー１３１は、例えば、映像系、音声系の調整メニュー画面を表示する際に操作され、調整用のキー１３３は、メニュー項目の選択や調整量を補正するもので、例えば十字カーソルキーである。また、決定キー１３２はメニュー項目や補正値を決定するためのものである。
【００１６】
次に図２を参照して本発明の主要部の構成について説明する。図２は図１内の補正回路１１の詳細を示している。図２において、２１はＡＣコンセント（交流電源）を示し、スイッチＳＷ１、及びスイッチＳＷ２はテレビジョン受像機本体に設けられている主電源スイッチ、及びサブ電源スイッチをそれぞれ示している。サブ電源スイッチＳＷ２の後段の
ＡＣライン間には消磁コイル１０、正特性サーミスタ２２、スイッチＳＷ３から成る消磁回路２３が接続されている。
【００１７】
消磁コイル１０は交流電圧が供給されると交流磁界を発生し、スイッチＳＷ３はマイコン５によって制御され、消磁回路２３のオン／オフ制御を行っている。正特性サーミスタ２２は消磁回路２３がオンの時、自己発熱による温度上昇によって抵抗値が増加し、消磁回路２４に流れる消磁電流を時間と共に減衰させる。
【００１８】
また、サブ電源スイッチＳＷ２の後段に設けられた主電源回路２４は、交流電圧を整流・平滑して所定の直流電圧を出力し、テレビジョン受像機の各部に動作電圧を供給している。
一方、スイッチ主電源スイッチＳＷ１の後段のＡＣラインには待機電源回路２５が設けられ、テレビジョン受像機がスタンバイ状態時にあるときにマイコン５等に動作電圧を供給するようにしている。
【００１９】
また、地磁気補正コイル９には、極性反転回路２６及び補正量調整回路２７が接続され、地磁気補正回路２８を形成している。補正量調整回路２７は、マイコン５からの制御信号に基づいてＣＲＴ６のネック部に設けられている地磁気補正コイル９に所定の直流電流を出力するとともに、所定時間経過後に直流電流の供給を停止するようにしている。またマイコン５からの制御信号に基づいて極性反転回路２６を制御し地磁気補正コイル９に流れる電流の方向を制御するようにしている。
【００２０】
次に、図２に示した補正回路１１の動作について図３〜図５を参照して説明する。先ず、テレビジョン受像機の設置時に主電源スイッチＳＷ１がオン状態にされたとき（初期設定時）を説明する。この状態でサブ電源スイッチＳＷ２がオンされると、主電源回路２４から動作電圧が供給されると共に、マイコン５からの制御信号によってＳＷ３が所定の時間オンとなるように制御される。これにより消磁回路２３に交流電圧が供給され、消磁コイル１０には図４に示すような交流電流Ｉが供給されて交流磁界が発生する。この時、正特性サーミスタ２２にも交流電流Ｉが流れるため、正特性サーミスタ２２は自己発熱によって温度が上昇し、抵抗値が大きくなる。これにより、消磁コイル１０に流れる交流電流Ｉは時間経過と共に制限されていき最終的にほとんど流れなくなり、これに応じて消磁コイル１０に生じる交流磁界が減衰していくことになる。そしてシャドウマスク等に着磁した磁気の消磁を行い消磁動作を完了するとももに、所定時間ｔ１の経過後はスイッチＳＷ３がオフとなる。
【００２１】
一方、地磁気等の影響により表示画面に表示される画像に色むらを生じた場合、ユーザーは表示された画像の状態を見ながら、図３（ａ）に示すようにビームを右回りに移動調整したり、逆に同図（ｂ）に示すように左回りに移動調整するようにリモコン１３を操作する。リモコン１３の操作に応答して地磁気補正コイル９に供給する直流電流の大きさや極性が調整され、その調整レベルに関するデータがメモリ１２に記憶される。
【００２２】
即ち、リモコン１３のメニューボタン１３１を操作することにより、画面には地磁気補正用の画面が表示され、カーソルキー１３３の１つを操作することにより、例えば図３（ａ）の矢印ａ１で示す方向にビームを移動して色むらを調整する。逆にカーソルキー１３３の他の１つを操作することにより、図３（ｂ）の矢印ｂ１で示す方向にビームを移動して色むらを調整する。調整量が適正値になった場合には、決定キー１３２を押すことでその調整量のデータ（地磁気補正電流の極性及びレベルに関するデータ）がメモリ１２に記憶される。
【００２３】
こうして補正回路１１は図４に示すように、リモコン１３の操作に応答して地磁気補正
コイル９に供給する直流電流のレベルや極性の可変を行って、以後この設定された調整量データに基づく直流レベル及び極性の電流Ｉｄｃを地磁気補正コイル９に供給し、画像の色むら等を解消するようにしている。
【００２４】
次に、サブ電源スイッチＳＷ２がオフされ、その後、再度サブ電源スイッチＳＷ２がオンされた場合の地磁気補正の動作を図５を参照して説明する。この場合、マイコン５は、スイッチＳＷ３をオンにして消磁コイル１０に消磁電流Ｉを流す。またマイコン５は、メモリ１２に記憶された調整量データを基に地磁気補正コイル９に地磁気補正電流Ｉｄｃを流すように制御する。
【００２５】
さらに、マイコン５は、電源スイッチＳｗ２がオン（ＡＣオン）されてから、所定時間ｔ１の経過後にスイッチＳＷ３をオフして消磁電流Ｉを停止し、所定時間ｔ２の経過後に地磁気補正電流Ｉｄｃの供給を停止するように補正量調整回路２７を制御する。即ち、地磁気補正電流Ｉｄｃは、初期設定時に、図４のようにユーザの操作に応じて調整量や極性が制御され、その調整量のデータが記憶され、次にＡＣ電源がオフされて再度オンれた場合には、記憶された調整量のデータに基づいて消磁電流Ｉの発生と同時に地磁気補正電流Ｉｄｃを流すように制御する。また、所定時間ｔ２の経過後に地磁気補正電流Ｉｄｃをオフするようにしている。なお、時刻ｔ２の経過後は、ＣＲＴ６内に設けられたインナーシールド（図示せず）が地磁気補正電流Ｉｄｃによって着磁されることにより、地磁気補正は継続される。
【００２６】
また、時間の経過やテレビジョン受像機の設置位置を変えた場合等は、再度ユーザにより地磁気補正量が制御され、図４で示すように、リモコン１３の操作によって地磁気補正量の調整を行うことにより、マイコン５は新たな調整量のデータをメモリ１２に記憶する。
【００２７】
こうして、地磁気等の影響により表示画像の回転や変動が発生した場合、ユーザーが表示された画像の状態を見ながら画像の回転や変動等が最も少なくなるように調整し、その調整量のデータをメモリ１２に記憶することにより、次にＡＣ電源がオンされた場合には、図５で説明した動作状態に移行することになる。
【００２８】
したがって、地磁気補正コイル９には所定時間だけ直流電流Ｉｄｃを流すだけで良く、消費電力を低減することができる。
【図面の簡単な説明】
【００２９】
【図１】本発明の陰極線管表示装置の全体構成を示すブロック図。（実施例１）
【図２】本発明の陰極線管表示装置の主要部の構成を示す回路図。
【図３】本発明における地磁気補正の動作を示す表示画面の説明図。
【図４】初期設定時の消磁電流、地磁気補正電流の波形を示す波形図。
【図５】通常動作時の消磁電流、地磁気補正電流の波形を示す波形図。
【符号の説明】
【００３０】
１  テレビジョン受像機
２  アンテナ
３  受信部
４  信号処理回路
５  マイクロコンピュータ
６  陰極線管（ＣＲＴ）
７  偏向回路
８  偏向ヨーク
９  地磁気補正コイル
１０  消磁コイル
１１  補正回路
１２  メモリ
１３  リモコン
２１  ＡＣコンセント
２２  正特性サーミスタ
２３  消磁回路
２４  主電源回路
２５  待機電源回路
２６  極性反転回路
２７  補正量調整回路
２８  地磁気補正回路
【図１】
2005191848.tif 000003
【図２】
2005191848.tif 000004
【図３】
2005191848.tif 000005
【図４】
2005191848.tif 000006
【図５】
2005191848.tif 000007